(57)【要約】【課題】作用水の温度が低い場合に迅速に薬液を吸入できないこと。【解決手段】本発明の吸入器は、作用水を収容する作用水槽と、作用水槽に装着され作用水に振動エネルギーを与える振動子と、作用水に浸され薬液が収容される薬液槽と、薬液槽の上方を覆い振動エネルギーによって霧化された薬液が排出される排出口が形成されたカバーと、作用水の温度を検出する温度センサと、作用水の温度が閾値よりも低いか否かを検出する検出部と、作用水の温度が閾値よりも低い場合に外部に通知する通知部と、を備える。【選択図】図２
2018027250.tif 000002
【特許請求の範囲】
【請求項１】
作用水を収容する作用水槽と、
前記作用水槽に装着され前記作用水に振動エネルギーを与える振動子と、
前記作用水に浸され薬液が収容される薬液槽と、
前記薬液槽の上方を覆い振動エネルギーによって霧化された薬液が排出される排出口が形成されたカバーと、
前記作用水の温度を検出する温度センサと、
前記作用水の温度が閾値よりも低いか否かを検出する検出部と、
前記作用水の温度が前記閾値よりも低い場合に外部に通知する通知部と、
を備えた吸入器。
【請求項２】
請求項１に記載の吸入器であって、
前記作用水の温度が前記閾値以上である場合には、吸引器が通常稼働状況で稼働するよう制御し、前記作用水の温度が前記閾値よりも低い場合に前記通知部にて外部に通知すると共に、前記通常稼働状況とは異なる稼働状況で吸引器が稼働するよう制御する制御部を備えた、
吸入器。
【請求項３】
請求項１に記載の吸入器であって、
前記検出部は、前記作用水の温度が、第一閾値よりも低いか否か、及び、前記第一閾値よりも低い温度の第二閾値よりも低いか否か、を検出するよう構成され、
前記作用水の温度が前記第二閾値よりも低い場合に外部に通知する通知部を備えると共に、
前記作用水の温度が前記第一閾値以上である場合には、吸引器が通常稼働状況で稼働するよう制御し、前記作用水の温度が、前記第一閾値よりも低く前記第二閾値以上である場合には、前記通常稼働状況とは異なる稼働状況で吸引器が稼働するよう制御する制御部を備えた、
吸入器。
【請求項４】
請求項３に記載の吸入器であって、
前記制御部は、前記作用水の温度が前記第二閾値よりも低い場合に前記通知部にて外部に通知すると共に、前記通常稼働状況とは異なる稼働状況で吸引器が稼働するよう制御する、
吸入器。
【請求項５】
請求項２乃至４のいずれかに記載の吸入器であって、
前記制御部は、前記異なる稼働状況として、前記通常稼働状況とは前記振動子の振動状況が異なるよう制御する、
吸入器。
【請求項６】
請求項５に記載の吸入器であって、
前記制御部は、前記異なる稼働状況として、前記通常稼働状況よりも前記振動子の振動が大きくなるよう制御する、
吸入器。
【請求項７】
請求項２乃至６のいずれかに記載の吸入器であって、
前記制御部は、前記異なる稼働状況として、前記通常稼働状況よりも前記薬液の霧化量が多くなるよう吸引器の稼働状況を制御する、
吸入器。
【請求項８】
請求項１乃至７のいずれかに記載の吸入器であって、
前記温度センサを、前記作用水槽の底部の外側に設けた、
吸入器。
【発明の詳細な説明】
【技術分野】
【０００１】
本発明は、吸入器にかかり、特に、超音波式の吸入器に関する。
【背景技術】
【０００２】
喘息等の呼吸器系疾患や風邪の治療などに、利用者が薬液を霧化して吸入するために吸入器（ネブライザー）が利用される。例えば、吸入器は、超音波振動を利用して薬液を霧化して噴霧する超音波式のものがある。
【０００３】
図１に、超音波式吸入器の薬液霧化部の断面を模式的に示す。超音波式吸入器は、振動子２０による振動エネルギーを作用水槽１０内の作用水１１を介して薬液槽３０に伝達することにより、薬液槽３０内部の薬液３１を霧化する。そして、霧化した薬液３１は、カバー４０に形成された送風口４１からの送風によって排出口４２から排出され、患者吸入口へと送られる。
【先行技術文献】
【特許文献】
【０００４】
【特許文献１】特開２００２−３２６０４５号公報
【発明の概要】
【発明が解決しようとする課題】
【０００５】
ここで、上述した超音波式吸入器では、作用水の温度が低い場合には、薬液の霧化能力が低下し、噴霧量が低下する。このため、利用者は、適切な量の薬液を吸入することができず、薬液の効果が低下する、という問題が生じる。
【０００６】
このことから、噴霧量が低下している場合には、作用液の温度が低いことが疑われる。このため、超音波式吸入器では、説明書などで、「噴霧量が少ない場合には作用水を温度の高いもの（例えば、２６℃）に取り替える」ということを記載しており、利用者に注意を促している。
【０００７】
しかしながら、上記のように説明書に記載されていたとしても、薬液の噴霧量が少ない場合に、利用者は作用液の温度が低いことに必ずしも迅速に気がつくわけではない。すると、利用者は迅速に適切な対応を行うことができず、適切な量の薬液を吸入することができない、という問題が生じる。
【０００８】
このため、本発明の目的は、上述した課題である、作用水の温度が低い場合に、利用者が適切な量の薬液を吸入することができない、という問題を解決することができる吸入器を提供することにある。
【課題を解決するための手段】
【０００９】
そこで、本発明の一形態である吸入器は、
作用水を収容する作用水槽と、
前記作用水槽に装着され前記作用水に振動エネルギーを与える振動子と、
前記作用水に浸され薬液が収容される薬液槽と、
前記薬液槽の上方を覆い振動エネルギーによって霧化された薬液が排出される排出口が形成されたカバーと、
前記作用水の温度を検出する温度センサと、
前記作用水の温度が閾値よりも低いか否かを検出する検出部と、
前記作用水の温度が前記閾値よりも低い場合に外部に通知する通知部と、
を備えた、
という構成をとる。
【００１０】
また、上記吸入器では、
前記作用水の温度が前記閾値以上である場合には、吸引器が通常稼働状況で稼働するよう制御し、前記作用水の温度が前記閾値よりも低い場合に前記通知部にて外部に通知すると共に、前記通常稼働状況とは異なる稼働状況で吸引器が稼働するよう制御する制御部を備えた、
という構成をとる。
【００１１】
上記構成の吸入器によると、まず、振動子が振動することにより、振動エネルギーが作用水槽内の作用水に伝達し、さらに、作用水を介して薬液槽内の薬液に伝達される。すると、薬液表面に振動エネルギーが集中することで、キャビテーション効果により薬液が霧化する。これにより、霧化した薬液がカバーに形成された排出口から排出され、患者吸入口に送られることとなる。
【００１２】
これに加え、本発明の吸入器では、温度センサにて、作用水が、薬液の霧化能力が低下することが想定される温度（閾値）より低い温度であるか否かを検出することができ、そのことを利用者に通知することができる。このため、利用者は、検出された作用水の温度に応じて、薬液の霧化性能の低下を抑制できる温度の作用水に迅速に交換することができる。その結果、利用者は迅速に適切な薬液を吸入することができる。
【００１３】
さらに、作用水の温度が低いことを通知すると共に、通常稼働状況とは異なる稼働状況で吸引器が稼働するよう制御することで、作用水の温度を迅速に上げることができる。このため、作用水を交換することなく、薬液の霧化能力の低下を迅速に抑制でき、利用者は迅速に適切な薬液を吸入することができる。
【００１４】
また、上記吸入器では、
前記検出部は、前記作用水の温度が、第一閾値よりも低いか否か、及び、前記第一閾値よりも低い温度の第二閾値よりも低いか否か、を検出するよう構成され、
前記作用水の温度が前記第二閾値よりも低い場合に外部に通知する通知部を備えると共に、
前記作用水の温度が前記第一閾値以上である場合には、吸引器が通常稼働状況で稼働するよう制御し、前記作用水の温度が、前記第一閾値よりも低く前記第二閾値以上である場合には、前記通常稼働状況とは異なる稼働状況で稼働するよう制御する制御部を備えた、
という構成をとる。
【００１５】
また、上記吸入器では、
前記制御部は、前記作用水の温度が前記第二閾値よりも低い場合に前記通知部にて外部に通知すると共に、前記通常稼働状況とは異なる稼働状況で吸引器が稼働するよう制御する、
という構成をとる。
【００１６】
また、上記吸入器では、
前記制御部は、前記異なる稼働状況として、前記通常稼働状況とは前記振動子の振動状況が異なるよう制御する、
という構成をとる。
【００１７】
また、上記吸入器では、
前記制御部は、前記異なる稼働状況として、前記通常稼働状況よりも前記振動子の振動が大きくなるよう制御する、
という構成をとる。
【００１８】
また、上記吸入器では、
前記制御部は、前記異なる稼働状況として、前記通常稼働状況よりも前記薬液の霧化量が多くなるよう吸引器の稼働状況を制御する、
という構成をとる。
【００１９】
上記構成によると、まず、作用水の温度が、薬液の霧化能力がやや低下しうる温度（第一閾値）よりもさらに低い値であって霧化能力がさらに低下すると想定される温度（第二閾値）よりも低い場合には、そのことを利用者に通知する。これにより、薬液の霧化能力の低下を抑制できる温度の作用水に迅速に交換することができる。一方で、作用水が、薬液の霧化能力がやや低下しうる温度（第一閾値）よりも低いが、さらに低い温度である第二閾値以上である場合には、吸引器の稼働状態を変更するよう制御する。例えば、作用水が第一閾値以上のときに吸引器を通常稼働状況で稼働させる場合に、作用水が第一閾値より低く第二閾値以上のときには、通常稼働状況よりも振動子の振動を大きくするなど振動状況を変えたり、通常稼働状況よりも薬液の霧化量が多くなるよう、吸引器の稼働状況を変更して制御する。これにより、作用水を交換することなく、作用水の温度が迅速に薬液の霧化能力の低下を抑制できる温度となる。その結果、利用者は迅速に適切な薬液を吸入することができる。
【００２０】
なお、作用水の温度が第二閾値よりも低い場合には、上述した作用水の交換を促す通知に加え、通常稼働状況とは異なる稼働状況で吸引器が稼働するよう制御してもよい。これにより、利用者が作用水を交換しなくとも、作用水の温度を迅速に上げることができる。利用者は迅速に適切な薬液を吸入することができる。
【００２１】
また、上記吸入器では、
前記温度センサを、前記作用水槽の底部の外側に設けた、
という構成をとる。
【００２２】
これにより、作用水の温度を適切に検出することができると共に、温度センサを作用水槽内に設けることがない。その結果、作用水槽の取扱が容易となり、構造の簡略化を図ることができる。
【発明の効果】
【００２３】
本発明は、以上のように構成され機能するので、これによると、利用者は、検出された作用水の温度に応じて、薬液が霧化するために十分な温度の作用水に迅速に交換することができる。その結果、利用者は迅速に適切な薬液を吸入することができる。
【図面の簡単な説明】
【００２４】
【図１】従来の吸引器の構成の概略を示す図である。
【図２】本発明の実施形態１における吸入器の構成の概略を示す図である。
【図３】本発明の実施形態１における吸入器の外観を示す図である。
【図４】図３に開示した吸入器の部分断面図である。
【図５】図３に開示した吸入器を構成する作用水槽を底面から見た図である。
【図６】本発明の実施形態２における吸入器の動作を示すフローチャートである。
【発明を実施するための形態】
【００２５】
＜実施形態１＞
本発明の第１の実施形態を、図２乃至図５を参照して説明する。図２は、吸入器の構成の概略を示す図であり、図３乃至図５は、吸入器の外観や断面図を示す図である。
【００２６】
吸引器は、喘息等の呼吸器系疾患や風邪の治療の際に、利用者が薬液を霧化して吸入するために利用される。そして、本実施形態における吸入器は、薬液を超音波によって霧化して噴霧する超音波式のものである。
【００２７】
図２に、本実施形態における超音波式吸入器の薬液霧化部の断面を模式的に示す。この図に示すように、超音波式吸入器は、作用水１１を収容する椀状の作用水槽１０を備えており、この作用水槽１０の底部中央に振動子２０が装着されている。振動子２０は、超音波振動子であり、超音波振動を発する。これにより、作用水槽１０に収容された作用水１１に振動エネルギーを与える。なお、振動子２０は、制御部５２に接続されており、制御指令に応じて振動の大きさである振幅や振動数が変更される。
【００２８】
ここで、作用水槽１０は、必ずしも図示した形状であることに限定されず、作用水１１を収容できる容器体であればいかなる形状であってもよい。また、振動子２０は、必ずしも超音波振動を発するものであることに限定されず、後述するように薬液３１を霧化できる振動を発するものであればいかなるものであってもよい。
【００２９】
また、作用水槽１０内には、当該作用水槽１０よりも小さい椀状の薬液槽３０が配置されている。薬液槽３０は、底部が、作用水槽１０に収容された作用水に浸されるよう配置される。そして、薬液槽３０内には薬液３１が収容される。これにより、振動子２０の振動エネルギーが、作用水１１から薬液３１に伝達されることとなる。すると、薬液３１の表面に振動エネルギーが集中し、キャビテーション効果により薬液３１が霧化し、噴霧薬液となる。なお、薬液槽３０は、必ずしも図示した形状であることに限定されず、薬液３１を収容できる容器体であればいかなる形状であってもよい。
【００３０】
また、薬液槽３１の上方はカバー４０で覆われている。カバー４０は、側面に送風口４１が形成されており、カバー４０の内部に向かって送風が入り込んでくる。そして、カバー４０は、上面に排出口４２が形成されている。これにより、送風口４１からの送風によって、上述した霧化した薬液３１である噴霧薬液が、排出口４２から排出されることとなる。排出された噴霧薬液は、図示しないホースなどを導通して、患者吸入口へと送られることとなる。
【００３１】
また、本発明における吸入器は、上述した構成に加え、図２に示すように、作用水１１の温度を検出するための温度センサ５１を備えている。温度センサ５１は、例えば、温度の変化により抵抗値が変化するサーミスタである。そして、温度センサ５１は、作用水槽１０の底部の外側、つまり、作用水槽１０の作用水を収容する内部ではなく、外部に配置されている。なお、温度センサ５１は、必ずしもサーミスタで構成されていることに限定されず、作用水１１の温度を検出可能なものであればいかなるセンサであってもよい。
【００３２】
ここで、作用水槽１０の具体的な構成を、図３乃至図５を参照して説明する。まず、吸入器１は、図３に示す外観であるが、図３のカバー４０の下部の鉛直方向の断面図を図４に示す。この図に示すように、作用水槽１０の底部は、金属製の取付ブロック２１と、金属製の振動子取付板２２と、シリコン製のシールリング２３と、を備えて構成されている。そして、取付ブロック２１に、振動子２０がネジで取り付けられる。なお、図５は、作用水槽１０を底部の裏側から見た図である。
【００３３】
そして、上述した温度センサ５１は、図５に示すように、作用水槽１０の底面の外側面を形成する取付ブロック２１にネジで固定されて装着される。このとき、作用水槽１０の底面を形成する振動子取付板２２や取付ブロック２１は、金属製であるため、内部に収容される作用水１１の熱が伝達される。このため、温度センサ５１にも作用水１１の温度が伝達され、作用水１１の温度を適切に検出することができる。なお、温度センサ５１を作用水槽１０の外側に設けることで、作用水槽１０の取扱が容易となり、構造の簡略化を図ることができる。
【００３４】
そして、本発明における吸入器は、図２に示すように、制御部５２と通知部５３とを備えている。制御部５２は、温度センサ５１による検出値、つまり、サーミスタによる抵抗値を検出することができる。そして、制御部５２（検出部）は、サーミスタから検出した抵抗値から、作用水１１の温度を検出し、検出した作用水１１の温度が予め設定された閾値よりも低いか否かを検出する。このとき、閾値は、例えば、作用水１１による薬液３１の霧化能力が低下することが判明している温度である。
【００３５】
そして、制御部５２は、温度センサ５１によって検出した作用水１１の温度が閾値以上である場合には、作用水１１による薬液３１の霧化能力が低下しないと考えられるため、そのまま通常運転モードで吸入器が稼働するよう制御する。つまり、制御部５２は、通常運転モード用に予め設定された振幅及び振動数で振動子２０を振動するよう制御する。
【００３６】
一方、温度センサ５１によって検出した作用水１１の温度が閾値よりも低いことを検出した場合には、そのことを外部に通知するよう通知部５３に指令を出す。例えば、通知部５３は、吸入器の外表面に設けられ、通知時に点灯するＬＥＤランプである。通知部５３であるＬＥＤランプは、作用水１１の温度が、薬液３１の霧化性能が低下する温度よりも低いときに点灯して、利用者にそのことを通知する。これにより、利用者は、通知部５３からの通知に応じて、薬液の霧化性能の低下を抑制できる温度の作用水に迅速に交換することができる。その結果、利用者は迅速に適切な薬液を吸入することができる。
【００３７】
このとき、制御部５２は、外部への通知と共に、作用水１１の温度が上昇するよう、通常運転モードとは異なる稼働状況である暖気運転モードで吸入器を稼働するよう制御してもよい。暖気運転モードでは、振動子２０の振動状態が通常運転モードのときとは異なるよう制御する。例えば、通常運転モードのときよりも振動子２０の振動が大きくなるよう制御する。具体的には、通常運転モード用に設定された振幅よりも大きい振幅で振動子２０が振動するよう制御したり、通常運転モード用に設定された振動数よりも高い振動数で振動子２０が振動するよう制御する。これにより、上述した外部への通知に対して作用水１１が交換されない場合であっても、作用水１１の温度が迅速に上昇するようになり、作用水１１による薬液３１の霧化能力の低下が解消され、薬液３１の霧化量が多くなる。
【００３８】
なお、通知部５３は、上述したＬＥＤランプであることに限定されず、ブザーといった音で通知するなど、他の方法で作用水１１が閾値よりも低い温度であることを外部に通知するものであってもよい。
【００３９】
＜実施形態２＞
次に、本発明の第２の実施形態を、図６のフローチャートを参照して説明する。
【００４０】
本実施形態における吸引器は、上述した実施形態１のものとほぼ同じ構成であるが、図２に開示した制御部５２の構成が異なる。このため、以下では、主に制御部５２の構成について詳しく説明する。
【００４１】
制御部５２は、吸入器の運転開始スイッチの入力を受け付けると、通常であれば、予め設定された通常運転モード（通常稼働状態）で運転を開始する。例えば、制御部５２は、通常運転モードでは、予め設定された通常運転モード用の振幅及び振動数で振動子２０を振動するよう制御する。但し、本実施形態では、以下に説明するように、作用水１１の温度によって吸入器の制御が異なる。
【００４２】
本実施形態における制御部５２（検出部）は、吸入器の運転が開始されると、温度センサ５１による検出値、つまり、サーミスタによる抵抗値を検出して、かかる抵抗値から作用水１１の温度を検出する（図６のステップＳ１）。そして、制御部５２は、検出した作用水１１の温度と、予め設定された第一閾値及び第二閾値と、を比較する。
【００４３】
ここで、第一閾値は、例えば、作用水１１による薬液３１の霧化能力がやや低下することが判明している温度である。また、第二閾値は、第一閾値よりもさらに低い値であって、作用水１１による薬液３１の霧化能力がさらに低下することが判明している温度である。
【００４４】
具体的に、制御部５２は、検出した作用水１１の温度が、第二閾値よりも低いか否かを検出する（図６のステップＳ２）。また、制御部５２は、検出した作用水１１の温度が、第一閾値よりも低いか否かを検出する（図６のステップＳ４）。これにより、制御部５２は、検出した作用水１１の温度が、第二閾値より低い場合（図６のステップＳ２：Ｙｅｓ）、第一閾値より低く第二閾値以上である場合（図６のステップＳ２：Ｎｏ、ステップＳ３：Ｙｅｓ）、第一閾値以上である場合（図６のステップＳ４：Ｎｏ）、のいずれであるかを検出する。
【００４５】
そして、制御部５２は、検出した作用水１１の温度が第二閾値よりも低い場合には（図６のステップＳ２：Ｙｅｓ）、作用水１１による薬液３１の霧化能力がかなり低下していると考えられる。このため、制御部５２は、作用水１１の交換を促すことを外部に通知するよう通知部５３に指令を出し、利用者への通知を行う（図６のステップＳ３）。例えば、通知部５３は、吸入器の外表面に設けられたＬＥＤランプであり、上記制御部５２からの指令により通知時に点灯する。
【００４６】
これに加え、制御部５２は、外部への通知と共に、作用水１１の温度が上昇するよう、通常運転モードとは異なる稼働状況である暖気運転モードで吸入器を稼働するよう制御する（図６のステップＳ３）。暖気運転モードでは、振動子２０の振動状態が通常運転モードのときとは異なるよう制御する。例えば、通常運転モードのときよりも振動子２０の振動が大きくなるよう制御する。具体的には、通常運転モード用に設定された振幅よりも大きい振幅で振動子２０が振動するよう制御したり、通常運転モード用に設定された振動数よりも高い振動数で振動子２０が振動するよう制御する。これにより、上述した外部への通知に対して作用水１１が交換されない場合であっても、作用水１１の温度が迅速に上昇するようになり、作用水１１による薬液３１の霧化能力の低下が解消され、薬液３１の霧化量が多くなる。
【００４７】
そして、上述した通知は、作用水１１の温度が第二閾値以上となるまで継続される。例えば、作用水１１の温度が第二閾値以上となると、通知部５３であるＬＥＤランプが消灯する。
【００４８】
なお、上述した検出した作用水１１の温度が第二閾値よりも低い場合には（図６のステップＳ２：Ｙｅｓ）、通知部５３による通知だけが行われ、暖気運転モードによる稼働は行われなくてもよい。
【００４９】
また、制御部５２は、検出した作用水１１の温度が第二閾値以上であるが（図６のステップＳ２：Ｎｏ）、第一閾値よりも低い場合には（図６のステップＳ４：Ｙｅｓ）、作用水１１による薬液３１の霧化能力がやや低下していると考えられる。このため、制御部５２は、作用水１１の温度が上昇するよう、通常運転モードとは異なる稼働状態となる暖気運転モードで吸入器を稼働するよう制御する（図６のステップＳ５）。
【００５０】
制御部５２は、暖気運転モードでは、上述同様に、振動子２０の振動状態が通常運転モードのときとは異なるよう制御する。例えば、通常運転モードのときよりも振動子２０の振動が大きくなるよう制御する。具体的には、通常運転モード用に設定された振幅よりも大きい振幅で振動子２０が振動するよう制御したり、通常運転モード用に設定された振動数よりも高い振動数で振動子２０が振動するよう制御する。これにより、暖気運転モードとなると、作用水１１の温度が迅速に上昇するようになり、作用水１１による薬液３１の霧化能力の低下が解消され、薬液３１の霧化量が多くなる。
【００５１】
そして、制御部５２は、検出した作用水１１の温度が第一閾値以上である場合には（図６のステップＳ４：Ｎｏ）、作用水１１による薬液３１の霧化能力が低下しないと考えられるため、通常運転モードで吸入器が稼働するよう制御する。つまり、制御部５２は、通常運転モード用に予め設定された振幅及び振動数で振動子２０を振動するよう制御する。このとき、例えば、上述した暖気運転モードにより作用水１１の温度が第一閾値よりも低い状態から第一閾値以上となった場合には、暖気運転モードを通常運転モードに切り換えて制御する。
【００５２】
なお、上述した暖気運転モードは、必ずしも通常運転モードに対して振動子２０の振動状況を変化させることに限定されない。暖気運転モードでは、他の方法で薬液３１の霧化量を多くするよう吸入器の稼働状態を変化させてもよい。例えば、作用水槽１０の周囲にヒータを取り付けておき、暖気運転モードとなるとかかるヒータで作用水１１を加熱して当該作用水１１の温度を上昇させてもよい。このようにしても、迅速に薬液３１の霧化量が増えることとなる。
【００５３】
以上のように、本発明によると、まず、作用水１１の温度が第二閾値よりも低い場合には、利用者に通知して、温度の高い作用水１１への交換を促す。これにより、迅速に薬液の霧化量を増加させることができ、利用者は迅速に適切な薬液を吸入することができる。一方、作用水１１の温度が第一閾値より低く第二閾値以上である場合には、暖気運転を行うよう制御する。これにより、作用水１１を交換することなく、作用水１１の温度が迅速に上昇する。このため、迅速に薬液の霧化量を増加させることができ、利用者は迅速に適切な薬液を吸入することができる。
【００５４】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５５】
１０  作用水槽
１１  作用水
２０  振動子
２１  取付ブロック
２２  振動子取付板
２３  シールリング
３０  薬液槽
３１  薬液
４０  カバー
４１  送風口
４２  排出口
５１  温度センサ
５２  制御部
５３  通知部
【図１】
2018027250.tif 000003
【図２】
2018027250.tif 000004
【図３】
2018027250.tif 000005
【図４】
2018027250.tif 000006
【図５】
2018027250.tif 000007
【図６】
2018027250.tif 000008